(57)【要約】【課題】  あらゆる種類の壁又は柱等に対しても設置可能で、かつ、複数の引掛部を備え、十分な吊り下げ強度を有するフックを提供する。【解決手段】  本発明のフック１０は、壁又は柱等２０に複数のビス類１６により固定され、壁又は柱等２０側に密着する側に幅狭部１４ａを有し、前記幅狭部１４ａより壁又は柱等２０側から離れた位置に幅広部１４ｂを備えた基板１４と、該基板１４が嵌合する溝１１ａを備えたフック基部１１と、該フック基部１１の表面に設けられた複数の引掛部を有する突起部１２と引掛部１３とを有し、前記溝１１ａが、前記フック基部１１の裏面側に設けられ、フック基部１１の一端面から他端側に向かって延び、溝１１ａの幅の最大部となる幅広部１１ａ２が溝１１ａの開口部より溝の底側にある。【選択図】    図１
2012065692.tif 000002
【特許請求の範囲】
【請求項１】
壁又は柱等にビス類により固定され、壁又は柱等側に密着する側に幅狭部を有し、前記幅狭部より壁又は柱等側から離れた位置に幅広部を備えた基板と、該基板が嵌合する溝を備えたフック基部と、該フック基部の表面に設けられた引掛部と、を有し、前記溝が、前記フック基部の裏面側に設けられ、フック基部の一端面から他端側に向かって延び、溝の幅の最大部が溝の開口部より溝の底側にあることを特徴とするフック。
【請求項２】
前記基板が、断面形状が台形のアリキー形状で、前記フック基部の溝がアリ溝であることを特徴とする請求項１に記載のフック。
【請求項３】
前記基板が、断面形状が凸形状で、前記フック基部の溝が、前記基板が嵌合できる凸型の空間を有することを特徴とする請求項１に記載のフック。
【発明の詳細な説明】
【技術分野】
【０００１】
本発明は、壁又は柱等に取付けて衣服等を吊り下げるフックに関する。
【背景技術】
【０００２】
従来、衣服等を吊り下げるためのフックを、壁等へ取り付ける方法としては、両面テープを用いて接着するもの（例えば、特許文献１）、ビスをフック基部（フックと壁等とが密着する部分）に貫通させて留めるもの（例えば、特許文献２）、又は、吸盤を用いて吸着させるもの（例えば、特許文献３）がある。ここで、両面テープの場合は、ビスで留めるのに比べると、比較的重い衣服等を吊す場合には、強度上の問題がある。また、ビスをフック基部に貫通させて留めるものは、強度の問題は解決できるが、フックが損傷したり破損した場合や、他のタイプのフックに変更したい場合には、フック全体を交換する必要がある。その場合、背後の壁等に新らたにビスをねじ込むことになり、壁に多数のビス穴ができてしまう。
【先行技術文献】
【特許文献】
【０００３】
【特許文献１】特開２００７−２６８２４８号公報
【特許文献２】特開２００２−７８５９７号公報
【特許文献３】特開２０００−１２６０１４号公報
【発明の概要】
【発明が解決しようとする課題】
【０００４】
本発明は、斯かる実情に鑑み、フックが破損したり、他のタイプに変更したりする場合でも、壁又は柱等に新たにネジ穴を穿ける必要がなく、フック部分のみの交換が可能で、かつ、十分な吊り下げ強度を有し、複数の引掛部を取付可能なフックを提供しようとするものである。
【課題を解決するための手段】
【０００５】
本発明のフックは、壁又は柱等にビス類により固定され、壁又は柱等側に密着する側に幅狭部を有し、前記幅狭部より壁又は柱等側から離れた位置に幅広部分を備えた基板と、該基板が嵌合する溝を備えたフック基部と、該フック基部の表面に設けられた引掛部と、を有し、前記溝が、前記フック基部の裏面側に設けられ、フック基部の一端面から他端側に向かって延び、溝の幅の最大部が溝の開口部より溝の底側にあることを特徴とするものである。
【０００６】
ここで、壁又は柱等とは、壁、柱を含み、それ以外、たとえば、鴨居、ドアの枠、家具の内壁などフックを取り付けることができるもの全般を指す。
【０００７】
また、前記基板が、断面形状が台形のアリキー形状で、前記フック基部の溝がアリ溝である構成にしたり、前記基板が、断面形状が凸形状で、前記フック基部の溝が、前記基板が嵌合できる凸型の空間を有する構成にしたりすることもできる。
【０００８】
なお、壁又は柱等が石膏ボードの場合は、石膏ボードに石膏ボード用アンカーをねじ込み、これに基板固定用のビスをねじ込むことで基板を石膏ボードに固定することができる。壁又は柱等がコンクリート、タイル又はブロック等の固い素材の場合は、壁又は柱等に穴を穿孔してプラグを打ち込み、このプラグにビスをねじ込むことで、基板を固定することができる。
【発明の効果】
【０００９】
本発明のフックによれば、基板をビス類で壁又は柱等に固定し、この基板にフック基部が取付けられているため、フックの吊り下げ強度を高くすることができる。その結果、複数の引掛部を設け、複数の衣類を掛けることができる。
【００１０】
また、基板がフック基部の溝に嵌合することで、着脱自在なので、フックが破損したり、他の形状のフックに交換する場合でも、基板は壁又は柱等に固定したままで、フックだけを簡単に交換することができ、壁又は柱等に余計なビス穴を穿ける必要がない。
【００１１】
また、壁又は柱等が石膏ボードのように柔らかい場合や、逆にコンクリートのようにビスをねじ込むには硬すぎる場合には、石膏ボード用アンカーねじやプラグを用いれば良いので、あらゆる壁等に使用できるという優れた効果を奏し得る。
【図面の簡単な説明】
【００１２】
【図１】本発明のフックの図で、（ａ）は側面図、（ｂ）は正面図である。
【図２】本発明のフックの図で、（ａ）は背面図、（ｂ）は下面図である。
【図３】図２（ａ）のＡ−Ａ線切断拡大端面図である。
【図４】基板の図で、（ａ）は上面図、（ｂ）は背面図、（ｃ）は（ｂ）のＢ−Ｂ線断面図である。
【図５】壁に基板を固定した状態を示す図である。
【図６】基板に本発明のフック基部を取り付けた状態を示す要部図である。
【図７】石膏ボードの壁に基板を固定する状態を示す図である。
【図８】コンクリートの壁に基板を固定する状態を示す図である。
【図９】アリ溝とアリキー以外の例を示す図で、（ａ）は基板の断面図、（ｂ）はフック基部の断面図である。
【発明を実施するための形態】
【００１３】
以下、本発明の実施の形態を添付図面を参照して説明する。
【００１４】
図１は、本発明のフックの図で、（ａ）は側面図、（ｂ）は正面図である。また、図２は、（ａ）は背面図、（ｂ）は下面図である。
【００１５】
本発明のフック１０は、フック基部１１と突起部１２及び引掛部１３とを備えている。これらフック基部１１、突起部１２及び引掛部１３は、合成樹脂の射出成形などにより、一体成形することができる。
【００１６】
突起部１２には、３つの貫通孔１２ａ、１２ｂ、１２ｃと、これら貫通孔の間に形成された凹部１２ｄ、１２ｅ、１２ｆからなる６箇所の引掛部がある。本発明のフック１０は、さらに下部にも引掛部１３があり、合わせて７つの引掛部があることになる。
【００１７】
フック基部１１は、矩形の板状であり、表面に衣類などの吊り下げ用の突起部１２、と引掛部１３を有し、裏面側には溝１１ａが穿設されている。そして、溝１１ａには、基板１４が嵌合されている。
【００１８】
図３は、フック基部１１の拡大図で、図２（ａ）のＡ−Ａ線切断拡大端面図である。フック基部１１には、その下端から上端に向かって溝１１ａが穿設されている。この溝１１ａは、アリ溝で、溝１１ａの開口部が幅狭部１１ａ１で、溝１１ａの底部が幅広部１１ａ２となっており、開口部の幅狭部１１ａ１と底部の幅広部１１ａ２は傾斜面でつながっている。
【００１９】
また、溝１１ａは、フック基部１１の下端で開口しており、ここが後述する基板１４が進入する入口となる。溝１１ａの長さは、フック基部１１の中心を越える程度の長さが望ましいが、溝１１ａをフック基部１１の上下方向に形成する場合は、フック基部１１の上端にストッパとして溝１１ａの無い部分を設ける必要がある。溝１１ａがフック基部１１の下端から上端まで貫通している場合、基板１４と嵌合させたときフック１０を支持できなくなるからである。
【００２０】
図４は、基板１４の図で、（ａ）は上面図、（ｂ）は背面図、（ｃ）は（ｂ）のＢ−Ｂ線断面図である。基板１４は、溝１１ａの空間と同じ形状で、断面が台形のアリキーとなっている。台形の平行な２面のうち狭い方が幅狭部１４ａで、広い方が幅広部１４ｂで基板１４の幅の最大部である。基板１４には、２つのビス孔１４ｃと１４ｄとが穿設されている。ビス孔１４ｃと１４ｄは、共に幅広側にビスの皿状の頭部が収容されるようにすり鉢状に拡大されている。貫通孔の径は、ビス孔１４ｃよりビス孔１４ｄの方が大きくなっているが、これは、基板１４を２本のビスで壁又は柱等に固定する場合、２本のビス１６，１６のピッチが基板１４のビス孔１４ｃ、１４ｄのピッチと若干ずれてもよいようにするためである。基板１４は、２本のビスで、壁又は柱等に幅狭部１４ａを密着させた状態で固定される。
【００２１】
図５は、基板１４を２本のビス１６、１６で壁又は柱等２０に固定された状態を示す図である。壁又は柱等２０が木質材であれば、図示のようなビス１６（木ねじ又はタッピンネジ）で基板１４を固定することができる。基板１４を固定したとき、ビス１６の頭部は基板１４の表面と面一になるか凹むようにし、基板１４の表面から突出しないようにすることが望ましい。
【００２２】
図６は、図５で固定された基板１４に、フック１０を嵌合した状態を示す。基板１４の台形形状が、溝１１ａのアリ溝と同じ形状になっているので、フック１０を図６の上方から基板１４に近づけ、溝１１ａの下端の入口と基板１４の上端とを重ね、図６の矢印方向にフック１０を降下することで、基板１４を溝１１ａ内に進行させ、フック１０を基板１４に嵌合させることができる。基板１４の上端が溝１１ａの最上部に当接して嵌合が完了する。嵌合した後のフック１０は、アリ溝構造のため、基板１４から外れることができず、壁又は柱等２０に強力に固定されることになる。
【００２３】
このとき、基板１４の断面形状と、溝１１ａの断面形状とが同じで、基板１４の方が僅かに小さい程度にすることが望ましい。基板１４と溝１１ａの嵌合が容易になり、しかも、基板１４が溝１１ａ内に収容されたとき、両者の間にガタツキが生じないようにすることができるからである。
【００２４】
ビス１６は、１本でもよいが、ビス１６を２本以上使用して基板１４を固定すると、フック１０を把持する力はより大きくなり、フック１０に複数の衣類を引掛けた場合の重量にも十分耐えることができる。また、引掛部は、突起部１２の引掛部のように、フック基部１１の上方にあってもよく、引掛部１３のようにフック基部の下方にあってもよい。
【００２５】
本発明の実施例におけるフック１０は、溝１１ａと基板１４との嵌合を基本としている。溝１１ａの断面形状と基板１４の断面形状とを適切に形成すれば、ビス１６のねじ込みは、頭部が基板１４から突出しないようにするだけでよく、ねじ込み量と関係なく、安定した嵌合状態を確保することができる。
【００２６】
本発明のフック１０は、基板１４に着脱自在である。したがって、フックが破損したり、別の形状のフックに交換したい場合には、フック基部１１を基板１４から抜き取り、新しいフックのフック基部と交換することができる。勿論、新しいフック基部にも前のフック基部１１に形成された溝１１ａと同じ形状の溝が形成されていることが条件となる。
【００２７】
図７は、背後の壁又は柱等２０が石膏ボードの場合に、本発明のフック１０を取付けた状況を示す断面図である。基板１４は、図５の上から見た状態で描いている。背後の壁又は柱等２０が石膏ボードの場合には、図１と同様にしてビス１６をねじ込んだとしてもビス１６が抜けやすく、吊り下げ強度は不足する。そこで、石膏ボード用のアンカーねじ３０を石膏ボードにねじ込んでおき、アンカーねじ３０にビス１６をねじ込むことで、強度不足を解消することができる。このとき、アンカーねじ３０の頭部は、石膏ボードの表面と面一になるようにすることが望ましい。
【００２８】
また、図８は、背後の壁等２０がコンクリートのように硬い場合に、本発明のフック１０を取付けた状況を示す図である。背後の壁又は柱等２０がコンクリート、タイル又はブロックのように硬い場合は、ビス１６を直接ねじ込むことは難しいので、ドリル等で穿孔した穴に図８のように、プラグ４０を打ち込む。そして、このプラグ４０にビス１６をねじ込むことで、基板１４を固定することができる。
【００２９】
以上の実施例では、基板１４は断面が台形のアリキーで、溝１１ａはアリ溝であったが、本発明は、これに限定されるものではない。
【００３０】
図９は、アリ溝とアリキー以外の例を示す図で、（ａ）は基板２４の断面図、（ｂ）はフック基部１１の断面図である。これらの図に示すように、基板２４は凸形状であり、溝１１ｂは基板２４が進入可能な凸形状の空間を有する。基板２４の図の上面が幅狭部２４ａで、下面が幅広部２４ｂである。一方、溝１１ｂの入口が幅狭部１１ｂ１で、溝１１ｂの底面が幅広部１１ｂ２で、溝の幅の最大部である。
【００３１】
また、上記実施例ではフック基部１１と基板１４、２４とは、上下方向に嵌合しているが、水平方向に嵌合してもよく、斜めの方向でもよい。水平方向に嵌合させる場合は、溝１１ａは、フック基部１１の一方から他方まで貫通していてもよい。
【符号の説明】
【００３２】
１０          フック
１１          フック基部
１１ａ、１１ｂ    溝
１１ａ１、１１ｂ１  幅狭部
１１ａ２、１１ｂ２  幅広部
１４、２４          基板
１４ｂ、２４ｂ      溝幅の最大部
１６          ビス
２０          壁又は柱等
３０          石膏ボード用のアンカーねじ
４０          コンクリート用プラグ
【図１】
2012065692.tif 000003
【図２】
2012065692.tif 000004
【図３】
2012065692.tif 000005
【図４】
2012065692.tif 000006
【図５】
2012065692.tif 000007
【図６】
2012065692.tif 000008
【図７】
2012065692.tif 000009
【図８】
2012065692.tif 000010
【図９】
2012065692.tif 000011